(57)【要約】      （修正有）【課題】ボトルのキャップ部に対して、簡単に装着、脱着でき、更には塵や埃が飲み口部に入らないように遮断できるようにした衛生的な開栓具を提供する。【解決手段】ボトル１のキャップ２上に装着される筒体１０の上部に、前記キャップ２内の球状栓部材３の押し下げ用突起部１２を設け、突起部１２と筒体１０とはつなぎ部が無く一体化されている。筒体１０の下端にキャップ２の下端リング部４に装着可能なタブ部１１を設けて装着の簡易化を可能とする。【選択図】図１
0003185665.tif 000002
【実用新案登録請求の範囲】
【請求項１】
ボトルの口部に取り付けられたキャップ上に装着された筒体であって、その筒体は上部に前記キャップの孔を内側から閉鎖する球状栓部材の押し下げ用の突起部を備え、筒体の下端部には前記キャップの下端リング部に装着される小さなタブ部を一体に設けた事を特徴とする開栓具。
【請求項２】
請求項１に記載した開栓具において、前記球状栓部材の押し下げ用の突起部と筒体とは一体成形されたものであり、この突起部と筒体とを加圧により破断する複数のつなぎ部を備えない事を特徴とする開栓具。
【考案の詳細な説明】
【技術分野】
【０００１】  本考案は、容器詰ラムネ飲料が充填されたボトルの密封用栓体を押し下げて解放状態とする開栓具に関し、更には飲み口部に塵、埃が付着しない衛生的な開栓具に関するものである。
【背景技術】
【０００２】  一般に、容器詰ラムネ飲料とは、旧来よりキャップ部にガラス玉の球状栓を使用し、容器内の炭酸の圧力により、ガラス玉がキャップ開口部に対して押しつけられて密封される独特の構造の容器が用いられる。【０００３】  このようなラムネ入りボトルにおいては、内部の飲料を飲む際に、球状栓部材を押し下げて解放状態とする必要があるため、ボトルに栓体押し下げ用の開栓具をつけた状態で販売するようにしている。【０００４】  このようなボトルに装着される開栓具として、図２に示したものが従来から知られている。この開栓具２０は、ボトル１の口部５に装着されたキャップ２上に載置される筒体２１の内側に、上記キャップ２の内部に保持された球状栓部材３の押し下げ用の突起部２２を設け、その突起部２２と筒体２１とを加圧により破断する複数の簿肉厚のつなぎ部２３によって一体化している。【０００５】  上記の構成からなる開栓具２０は、その筒体２１とボトル１のキャップ２外周に跨がるようにして被せられ熱収縮性チューブ２４の熱収縮によってボトル１に一体化される。【０００６】  また、先行例として、ホルダーと開栓体とが一体にプラスチック成形してある、レモネードびん用の開栓具（特許文献１）、ボトルのキャップ部に対して装着の自動化を行うことができるようにした開栓具（特許文献２）などが知られている。
【先行技術文献】
【特許文献】
【０００７】
【特許文献１】  特開平成９−３０９５８９号公報
【特許文献２】  特開２００３−２３５３号公報
【考案の概要】
【考案が解決しようとする課題】
【０００８】  しかし、これらの従来の開栓具では、玉押し用の突起部材をつなぎ部から外して開栓しなければいけない構造のために、つなぎ部分の隙間から塵、埃が筒体内に侵入し、球状栓部材に付着し飲み口が汚れたり、更には押し込まれた球状栓部材と共に塵、埃もボトル内部に侵入してしまうという問題点が指摘され、衛生面に難点があった。【０００９】  また、玉押し用の開栓具をボトルと一体で販売しなければいけないために、熱収縮性チューブの装着を余儀なくされ、製造工程の複雑さ、更には剥がした後の熱収縮性チューブの廃棄によるゴミの出現という問題も指摘されてきた。【００１０】  そこで、本考案は、玉押し用の突起部と一体化された筒体でキャップ部を密閉する事により、塵、埃を容器詰ラムネ飲料の飲み口部に侵入させない構造の開栓具を提供することを目的とした。更には、容易に装着、脱着させる事が可能な構造の開栓具を提供することもできる。
【課題を解決するための手段】
【００１１】  上記の課題を解決するために、この考案においては、ボトルの口部に取り付けられたキャップ上に装着された筒体であって、その筒体は上部に前記キャップの孔を内側から閉鎖する球状栓部材の押し下げ用の突起部を備え、筒体の下端部には前記キャップの下端リング部に装着される小さなタブ部を一体に設けた事を特徴とする開栓具としたのである。【００１２】  上記のように、筒体の下端部にタブ部を設ける事により、筒体がキャップ下端リング部にパチっと簡単に装着することができ、筒体をボトルに一体化させるための熱収縮性チューブを無くす事ができる。【００１３】  またこの考案は、球状栓部材の押し下げ用の突起部と筒体とは一体成形されたものであり、この突起部と筒体とを加圧により破断する複数のつなぎ部を備えない事を特徴とする開栓具としたのである。【００１４】  上記のように、突起部と筒体とを加圧により破断する複数のつなぎ部を備えない事により、塵、埃などが飲み口部まで侵入する事がなく衛生的な開栓具とすることができる。
【考案の効果】
【００１５】  本考案に係る開栓具によれば、塵、埃を飲み口部にまで侵入させる事がないために衛生的な容器詰ラムネ飲料を提供する事ができる。しかもキャップ下端リング部にパチっと容易に安定させる事が可能なタブ部を筒体下端部に設ける事により、熱収縮性チューブを使用する事なく玉押し用突起部が付いた開栓具を容易に装着、脱着する事が可能である。【００１６】  上記のように、この容器詰ラムネ飲料の開栓具には突起部とタブ部が一体化された筒体構造となっているため、熱収縮性チューブが不要となりゴミの散乱を防止する事が可能となる。
【考案を実施するための形態】
【００１７】  図１は本考案に係る開栓具の一実施形態を示す概略斜視図である。
【００１８】  図１に示すように、ラムネ飲料が充填されたボトル１はポリエチレンテレフタレートから成り、その口部５にはキャップ２が取り付けられている。キャップ２の内部にはガラス玉から成る球状栓部材３が保持され、その球状栓部材３によってキャップ２の孔は内側から閉鎖されている。なお、ボトル１は合成樹脂製のものに限定されずガラス製のものであってもよい。
【００１９】  キャップ２上には筒体１０が装着されている。図１に示すように筒体１０は合成樹脂の成型品から成る。この筒体１０の上部には球状栓部材３の押し下げ用の突起部１２を設け、下端部にはキャップ下端リング部４に装着用のタブ部１１を設けている。
【００２０】  上記のように筒体１０の下端にタブ部１１を設けることにより、キャップ２の下端リング部４に筒体１０を安定よく容易に取り付けることができ、容易に取り外すこともできる。
【００２１】  取り外した筒体１０を逆さにして、突起部１２を球状栓部材３に押し当てて加圧する事により球状栓部材３が押し下げられて開栓する事が可能になるのである。
【図面の簡単な説明】
【００２２】
【図１】本考案に係る開栓具をボトルに装着した状態の一部切欠正面図である。
【００２３】
【図２】（Ｉ）は従来の開栓具をボトルに装着する前の状態を示す一部切欠正面図、（ＩＩ）は装着後の状態を示す一部切欠正面図である。
【符号の説明】
【００２４】  １    ボトル
２    キャップ
３    球状栓部材
４    リング
５    口部
１０  筒体
１１  タブ部
１２  突起部
２０  開栓具
２１  筒体
２２  突起部
２３  つなぎ部
２４  熱収縮性チューブ
【図１】
0003185665.tif 000003
【図２】
0003185665.tif 000004